(57)【特許請求の範囲】
【請求項１】
第１の光ファイバを保持し回転する第１のコネクタと、
第２の光ファイバを保持するともに、前記第１の光ファイバと該第２の光ファイバとが対向接合するように前記第１のコネクタと着脱自在に接合し回転する第２のコネクタと、
前記第１のコネクタと前記第２のコネクタとが非接合の際に前記第２のコネクタの回転動作を規制する回転ロックピンと、
前記第１のコネクタと前記第２のコネクタとが接合する際に、前記第１のコネクタと接触することにより前記回転ロックピンを移動させて前記第２のコネクタの回転規制を解除する移動機構と、を備えたことを特徴とするロータリ光コネクタ。
【請求項２】
前記移動機構は、前記回転ロックピンを移動させるレバーと、
レバーを回転自在に支持する支持ピンと、
前記レバーの一端に設けられた前記第１のコネクタと接触する接触部と、
前記回転ロックピンを移動させる駆動部と、を備えたことを特徴とする請求項１に記載のロータリ光コネクタ。
【請求項３】
前記レバーは、一端に前記接触部が設けられ、第１の支持ピンにより回転自在に支持された第１のレバーと、
第２の支持ピンに回転自在に支持され、一端が前記第１のレバーにより移動し、他端に前記駆動部を備えた第２のレバーと、により構成されることを特徴とする請求項２に記載のロータリ光コネクタ。
【請求項４】
前記レバーの位置を検知するセンサが備えられていることを特徴とする請求項２または請求項３に記載のロータリ光コネクタ。
【請求項５】
前記センサはレーザ光の有無、渦電流の変化、接触の有無を感知するセンサであることを特徴とする請求項４に記載のロータリ光コネクタ。
【請求項６】
前記レバーの位置が前記第２のコネクタの回転を規制する位置に前記回転ロックピンを移動させた位置であると前記センサにより検知された際、前記第２の光ファイバへのレーザ光の供給を停止することを特徴とする請求項４または請求項５に記載のロータリ光コネクタ。
【請求項７】
第１の光ファイバを保持し回転する第１のコネクタと、第２の光ファイバを保持するとともに、前記第１の光ファイバと該第２の光ファイバとが対向接合するように前記第１のコネクタと着脱自在に接合し回転する第２のコネクタと、前記第２のコネクタの回転動作を規制する回転ロックピンと、前記第１のコネクタと接触することにより前記回転ロックピンを移動させて前記第２のコネクタの回転規制を解除する移動機構と、を備えたロータリ光コネクタにおいて、
前記第１のコネクタと前記第２のコネクタとが非接合の際に前記回転ロックピンにより前記第２のコネクタの回転動作を規制し、前記第１のコネクタと前記第２のコネクタとが接合する際に前記移動機構により前記回転ロックピンを移動させて前記第２のコネクタの回転規制を解除することを特徴とするロータリ光コネクタの接続方法。
【請求項８】
前記移動機構は、前記回転ロックピンを移動させるレバーと、レバーを回転自在に支持する支持ピンと、前記レバーの一端に設けられた前記第１のコネクタと接触する接触部と、前記回転ロックピンを移動させる駆動部と、前記レバーの位置を検知するセンサと、を備え、
前記レバーの位置が前記第２のコネクタの回転を規制する位置に前記回転ロックピンを移動させた位置であると前記センサにより検知された際、前記第２の光ファイバへのレーザ光の供給を停止する請求項７に記載のロータリ光コネクタの接続方法。
【発明の詳細な説明】
【技術分野】
【０００１】
本発明は、光ファイバを接続する光コネクタに係り、特に回転する光ファイバと非回転の光ファイバを着脱自在に接続するロータリ光コネクタ及びロータリ光コネクタの接続方法に関する。
【背景技術】
【０００２】
従来、生体の体腔内を観察する内視鏡装置として、生体の体腔内で照明光を照射し、反射された反射光による像を撮像し、モニタ等に表示する電子内視鏡装置が広く普及され、様々な分野で利用されている。また多くの内視鏡装置は、鉗子口を備え、この鉗子口を介して体腔内に導入されたプローブにより、体腔内の組織の生検や治療を行うことが可能となっている。
【０００３】
一方、近年、生体組織等の測定対象を切断せずに生体などの断層画像を取得する光観察
装置としての断層画像取得装置の開発が進められており、例えば低コヒーレンス光による
干渉を用いた光干渉断層（ＯＣＴ：Ｏｐｔｉｃａｌ  Ｃｏｈｅｒｅｎｃｅ  Ｔｏｍｏｇｒａｐｈｙ）計測法を利用した光断層画像化装置が知られている（特許文献１）。
【０００４】
このＯＣＴ計測は、測定光及び反射光と参照光との光路長が一致したときに干渉光が検出されることを利用した計測方法である。すなわちこの方法において、光源から射出された低コヒーレント光は測定光と参照光とに分割され、測定光は測定対象に照射され、測定対象からの反射光が合波手段に導かれる。一方、参照光は、測定対象内の測定深さを変更するために、光路長の変更が施された後に合波手段に導かれる。そして、合波手段により反射光と参照光とが合波され、合波されたことによる干渉光がヘテロダイン検波等により測定される。
【０００５】
上記ＯＣＴ装置においては、参照光の光路長を変更することにより、測定対象に対する測定位置（測定深さ）を変更し断層画像を取得するようになっており、この手法は一般にＴＤ−ＯＣＴ（Ｔｉｍｅ  ｄｏｍａｉｎ  ＯＣＴ）計測と称されている。
【０００６】
他方、参照光の光路長の変更を行うことなく高速に断層画像を取得する装置として、ＳＤ−ＯＣＴ（Ｓｐｅｃｔｒａｌ  Ｄｏｍａｉｎ  ＯＣＴ）計測あるいはＳＳ−ＯＣＴ（Ｓｗｅｐｔ  ｓｏｕｒｃｅ  ＯＣＴ）計測による光断層画像化装置が提案されている。
【０００７】
上述した断層画像においては、照射位置を僅かにずらしながら、測定を繰り返すことにより、所定の走査領域の２次元的あるいは３次元的な光断層画像を取得することが出来る。
【０００８】
このようなＯＣＴ装置（光断層画像化装置）は、測定部位を精細（約１０μｍの分解能）に観察することが可能であり、内視鏡装置の鉗子口にＯＣＴプローブ（光プローブ）を挿入して信号光及び信号光の反射光を導光し、体腔内の光断層画像を取得することにより、例えば初期癌の深達度診断なども可能となる。
【０００９】
ＯＣＴプローブにおける光の走査方法としては、ファイバを回転させて走査を行うラジアルスキャン型が知られている。ラジアル走査を行う場合には、回転する光ファイバと非回転の光ファイバとが着脱自在に接続される必要がある。このように、一方が回転可能であり他方が非回転であって、着脱自在に光ファイバを接続する方法としては、ロータリ光コネクタが用いられている（特許文献２）。
【００１０】
ロータリ光コネクタの従来例を説明する。図８に示すメス側光コネクタ１００では、不図示の光源より出射され非回転の光ファイバを伝達された光がプローブ側へ出射する出射窓１０１の位置に合わせて、キー１０２が設けられている。図９に示す従来のオス側光コネクタ１１０では、接続時に出射窓１０１と対向する出射窓１１１の位置に合わせてキー溝１１２が設けられている。
【００１１】
メス側光コネクタ１００には、オス側光コネクタ１１０の固定用メネジ部１１３と勘合する固定用オネジ部１０３が設けられている。キー１０２とキー溝１１２は、オス側光コネクタ１１０の回転部１１４を回転させることで位置が合わせられて勘合する。これにより、軸方向の位置合わせが行われる。更に、固定用メネジ部１１３と固定用オネジ部１０３とを締め込むことで、出射窓１０１と出射窓１１１とが接触固定されて軸方向の位置精度が確保される。接触固定された後、回転伝達用ギア１０４により光ファイバを回転させてラジアル走査が行われる。
【先行技術文献】
【特許文献】
【００１２】
【特許文献１】特開平６−１６５７８４号公報
【特許文献２】特開２００９−１３３６３０号公報
【発明の概要】
【発明が解決しようとする課題】
【００１３】
しかし、このようなロータリ光コネクタでは、洗浄、消毒、滅菌のために光プローブを外した場合であっても本体側のコネクタが回転可能であって、予期せぬ動作による破損など安全上重大な問題がある。
【００１４】
本発明はこのような問題に対してなされたものであり、光プローブが装着された際には回転可能であって、光プローブが装着されていない際には本体に設けられたコネクタの回転がロックされるロータリ光コネクタ及びロータリ光コネクタの接続方法を提供することを目的としている。
【課題を解決するための手段】
【００１５】
本発明は前記目的を達成するために、請求項１に記載の発明は、第１の光ファイバを保持し回転する第１のコネクタと、第２の光ファイバを保持するともに、前記第１の光ファイバと該第２の光ファイバとが対向接合するように前記第１のコネクタと着脱自在に接合し回転する第２のコネクタと、前記第１のコネクタと前記第２のコネクタとが非接合の際に前記第２のコネクタの回転動作を規制する回転ロックピンと、前記第１のコネクタと前記第２のコネクタとが接合する際に、前記第１のコネクタと接触することにより前記回転ロックピンを移動させて前記第２のコネクタの回転規制を解除する移動機構と、を備えたことを特徴としている。
【００１６】
請求項１の発明によれば、第１の光ファイバを保持し回転する第１のコネクタと、第２の光ファイバを保持し回転する第２のコネクタとにより、第１の光ファイバと第２の光ファイバとが着脱自在に対向接続される。
【００１７】
第２のコネクタの回転部近傍には、第２のコネクタの回転動作を規制する回転ロックピンが設けられている。回転ロックピンは第２のコネクタの回転動作を規制する位置と、規制を解除する位置とを移動機構により移動可能に設けられている。
【００１８】
第１のコネクタと第２のコネクタとが非接合の際には、回転ロックピンが移動機構により第２のコネクタの回転部に接近して回転を規制する。第１のコネクタが第２のコネクタと接合する際には、第１のコネクタが移動機構と接触して回転ロックピンを第２のコネクタの回転部から離れる方向に移動させる。
【００１９】
これにより、光プローブ側に設けられた第１のコネクタが、本体側に設けられた第２のコネクタに装着された際には回転可能であって、光プローブが装着されていない際には第２のコネクタの回転がロックされて、安全な着脱動作を可能にする。
【００２０】
請求項２に記載の発明は、請求項１に記載の発明において、前記移動機構は、前記回転ロックピンを移動させるレバーと、レバーを回転自在に支持する支持ピンと、前記レバーの一端に設けられた前記第１のコネクタと接触する接触部と、前記回転ロックピンを移動させる駆動部と、を備えたことを特徴としている。
【００２１】
請求項２の発明によれば、移動機構はレバーと、レバーを回転自在に支持する支持ピンとを備えている。レバーには、回転ロックピンを移動させる駆動部と、第１のコネクタと接触させる接触部が形成されている。
【００２２】
これにより、レバーの接触部に接触した第１のコネクタによる力は、レバーを介して回転ロックピンへ伝達されて、回転ロックピンを第２のコネクタの回転部から離れる方向に移動させる。
【００２３】
請求項３に記載の発明は、請求項２に記載の発明において、前記レバーは、一端に前記接触部が設けられ、第１の支持ピンにより回転自在に支持された第１のレバーと、第２の支持ピンに回転自在に支持され、一端が前記第１のレバーにより移動し、他端に前記駆動部を備えた第２のレバーと、により構成されることを特徴としている。
【００２４】
請求項３によれば、レバーは第１のレバーと、第２のレバーにより構成される。第１のレバーは第１の支持ピンにより回転自在に固定され、一端に接触部が設けられ、他端に第２のレバーが接触している。第２のレバーは第２の支持ピンにより回転自在に固定され、一端に駆動部が設けられ、他端が第１のレバーに接触している。
【００２５】
これにより、第１のレバーの接触部に接触した第１のコネクタによる力は、第１のレバーを介して第２のレバーへ伝達される。第２のレバーは伝達された力により回転ロックピンを第２のコネクタの回転部から離れる方向に移動させる。
【００２６】
請求項４に記載の発明は、請求項２または請求項３に記載の発明において、前記レバーの位置を検知するセンサが備えられていることを特徴としている。
【００２７】
請求項５に記載の発明は、請求項４に記載の発明において、前記センサはレーザ光の有無、渦電流の変化、接触の有無を感知するセンサであることを特徴としている。
【００２８】
請求項４、請求項５によれば、レバーの近傍には、レーザ光の有無、渦電流の変化、接触の有無により、レバーの位置を検知するセンサが設けられている。これにより、レバーの位置から第１のコネクタと第２のコネクタの接合状況を検知することが可能となる。
【００２９】
請求項６に記載の発明は、請求項４または請求項５に記載の発明において、前記レバーの位置が前記第２のコネクタの回転を規制する位置に前記回転ロックピンを移動させた位置であると前記センサにより検知された際、前記第２の光ファイバへのレーザ光の供給を停止することを特徴としている。
請求項７に記載の発明は、第１の光ファイバを保持し回転する第１のコネクタと、第２の光ファイバを保持するとともに、前記第１の光ファイバと該第２の光ファイバとが対向接合するように前記第１のコネクタと着脱自在に接合し回転する第２のコネクタと、前記第２のコネクタの回転動作を規制する回転ロックピンと、前記第１のコネクタと接触することにより前記回転ロックピンを移動させて前記第２のコネクタの回転規制を解除する移動機構と、を備えたロータリ光コネクタにおいて、前記第１のコネクタと前記第２のコネクタとが非接合の際に前記回転ロックピンにより前記第２のコネクタの回転動作を規制し、前記第１のコネクタと前記第２のコネクタとが接合する際に前記移動機構により前記回転ロックピンを移動させて前記第２のコネクタの回転規制を解除することを特徴としている。
請求項８に記載の発明は、請求項７に記載の発明において、前記移動機構は、前記回転ロックピンを移動させるレバーと、レバーを回転自在に支持する支持ピンと、前記レバーの一端に設けられた前記第１のコネクタと接触する接触部と、前記回転ロックピンを移動させる駆動部と、前記レバーの位置を検知するセンサと、を備え、前記レバーの位置が前記第２のコネクタの回転を規制する位置に前記回転ロックピンを移動させた位置であると前記センサにより検知された際、前記第２の光ファイバへのレーザ光の供給を停止することを特徴としている。
【００３０】
請求項６によれば、レバー近傍に設けられたセンサにより検知されたレバーの位置が、第２のコネクタの回転を規制する位置に回転ロックピンを移動させる位置とされた場合、第１のコネクタと第２のコネクタが接合されていないので、第２の光ファイバへのレーザ光の供給が停止される。これにより、安全な着脱動作を可能にする。
【発明の効果】
【００３１】
以上説明したように、本発明のロータリ光コネクタ及びロータリ光コネクタの接続方法によれば、回転動作を規制する回転ロックピンと移動機構により、光プローブが装着された際には回転可能であって、光プローブが装着されていない際には本体に設けられたコネクタの回転がロックされる安全な着脱動作を可能にする。
【図面の簡単な説明】
【００３２】
【図１】本発明の実施の形態に係る画像診断装置を示す外観図。
【図２】本発明の実施の形態に係る光プローブと走査ユニットの模式図。
【図３】第２の光コネクタの回転が規制された状態を示した正面図。
【図４】第２の光コネクタの回転規制が解除された状態を示した正面図。
【図５】第１のコネクタと第２のコネクタが接合された状態を示した斜視図。
【図６】本発明の別の実施の形態に係る回転規制機構を示した正面図
【図７】本発明の更に別の実施の形態に係る回転規制機構を示した正面図
【図８】従来のメス側光コネクタを示した正面図。
【図９】従来のオス側光コネクタを示した正面図。
【発明を実施するための形態】
【００３３】
以下添付図面に従って本発明に係るロータリ光コネクタの好ましい実施の形態について説明する。まず本発明に係わるロータリ光コネクタの構成について説明する。
【００３４】
図１は本発明に係るロータリ光コネクタが用いられる画像診断装置を示す外観図である。図１に示すように、画像診断装置１は、主として内視鏡２、内視鏡プロセッサ３、光源装置４、ＯＣＴプロセッサ５、及びモニタ装置６とから構成されている。なお、内視鏡プロセッサ３は、光源装置４を内蔵するように構成されていてもよい。
【００３５】
内視鏡２は、手元操作部１１と、この手元操作部１１に連設される挿入部１２とを備える。術者は手元操作部１１を把持して操作し、挿入部１２を被検者の体内に挿入することによって観察を行う。
【００３６】
手元操作部１１には、鉗子挿入部１３が設けられており、この鉗子挿入部１３が先端部１４の鉗子口１５に連通されている。画像診断装置１では、光プローブであるＯＣＴプローブ７を鉗子挿入部１３から挿入することによって、ＯＣＴプローブ７を鉗子口１５から導出する。ＯＣＴプローブ７は、鉗子挿入部１３から挿入され、鉗子口１５から導出されるプローブ挿入部１６と、術者がＯＣＴプローブ７を操作するための操作部１７、及びコネクタ１８を介してＯＣＴプロセッサ５と接続されるケーブル１９から構成されている。
【００３７】
内視鏡２の先端部１４には、観察光学系２０、照明光学系２１、及びＣＣＤ（不図示）が配設されている。
【００３８】
観察光学系２０は、被検体を図示しないＣＣＤの受光面に結像させ、ＣＣＤは受光面上に結像された被検体像を各受光素子によって電気信号に変換する。この実施の形態のＣＣＤは、３原色の赤（Ｒ）、緑（Ｇ）、青（Ｂ）のカラーフィルタが所定の配列（ベイヤー配列、ハニカム配列）で画素ごとに配設されたカラーＣＣＤである。
【００３９】
光源装置４は、可視光を図示しないライトガイドに入射させる。ライトガイドの一端はＬＧコネクタ２２を介して光源装置４に接続され、ライトガイドの他端は照明光学系２１に対面している。光源装置４から発せられた光は、ライトガイドを経由して照明光学系２１から出射され、観察光学系２０の視野範囲を照明する。
【００４０】
内視鏡プロセッサ３には、ＣＣＤから出力される画像信号が電気コネクタ２３を介して入力される。このアナログの画像信号は、内視鏡プロセッサ３内においてデジタルの画像信号に変換され、モニタ装置６の画面に表示するための必要な処理が施される。
【００４１】
このように、内視鏡２で得られた観察画像のデータが内視鏡プロセッサ３に出力され、内視鏡プロセッサ３に接続されたモニタ装置６に画像が表示される。
【００４２】
ＯＣＴプローブ７と操作部１７は図２に示すように、第１のコネクタであるオス側光ロータリコネクタ２４と第２のコネクタであるメス側光ロータリコネクタ２５とにより構成されるＯＣＴ用光コネクタ８により接続される。
【００４３】
オス側光ロータリコネクタ２４は、メス側光ロータリコネクタ２５に設けられた固定用オスネジ部２６と勘合固定されるネジが形成された固定用メスネジ部２７を備えている。固定用メスネジ部２７の内側には、非回転の内スリーブ２８に保持された回転部２９が設けられている。回転部２９では、ＯＣＴプローブ７内部へ通される第１の光ファイバ３０が保持され、第１の光ファイバ３０を回転自在とする。
【００４４】
メス側光ロータリコネクタ２５は、ケーブル１９内部を通る第２の光ファイバ３３を非回転に保持する非回転部３４が設けられている。非回転部３４のケーブル１９が取り付けられた反対の面には回転部３５が取り付けられている。回転部３５には、中央部付近に回転伝達ギア３６と、端部に固定用オスネジ部２６が設けられている。回転伝達ギア３６にはモータギア３７が勘合され、モータ３８により回転部３５が矢印Ａ方向に回転移動する。
【００４５】
操作部１７内のメス側光ロータリコネクタ２５近傍には、メス側光ロータリコネクタ２５の回転を規制する回転ロックピンを移動させる移動機構９が設けられている。
【００４６】
移動機構９は図３に示すように、回転伝達ギア３６と勘合してメス側光ロータリコネクタ２５の回転を規制する回転ロックピン１０を移動させるレバー３９を備えている。
【００４７】
レバー３９は、第１の支持ピン４０により回転自在に支持された第１のレバー４１と、第２の支持ピン４２により回転自在に支持された第２のレバー４３により構成される。
【００４８】
第１のレバー４１は、メス側光ロータリコネクタ２５の近傍となる一端に傾斜した接触部４４を備えている。第２のレバー４３は、一端が第１のレバー４１の接触部４４と反対側の端と接触して移動し、もう一方の端に回転ロックピン１０を支持するスライダ４５と接触している駆動部４６を備えている。
【００４９】
このような構成の移動機構９では、図４に示すように、オス側光ロータリコネクタ２４とメス側光ロータリコネクタ２５とが接合した際、接触部４４にオス側光ロータリコネクタ２４の一部が接触して第１のレバー４１が矢印Ａ方向に押し下げられる。
【００５０】
接触部４４が押し下げられた第１のレバー４１は、図５に示すように、第１の支持ピン４０により矢印θ１方向に回転する。これにより、接触部４４の反対側が第２のレバー４３の一端と接触して第２のレバー４３の一端を押し上げる。
【００５１】
一端が押し上げられた第２のレバー４３は、第２の支持ピン４２により矢印θ２方向に回転する。これにより、駆動部４６がスライダ４５を矢印Ｂ方向に移動させ、回転ロックピン１０を回転伝達ギア３６から離れさせる。回転ロックピン１０が離れ、回転規制が解除されたメス側光ロータリコネクタ２５は回転可能となる。
【００５２】
メス側光ロータリコネクタ２５からオス側光ロータリコネクタ２４が引き抜かれ、接触部４４に対して矢印Ａ方向に働く力が無くなった際には、図５に示すスライダレール４７に設けられた不図示のバネ機構等により、スライダ４５が矢印Ｃ方向に押し戻されて、再び図３に示すように回転ロックピン１０が回転伝達ギア３６と勘合してメス側光ロータリコネクタ２５の回転を規制する。
【００５３】
これにより、ＯＣＴプローブ７が装着された際にはメス側光ロータリコネクタ２５が回転可能であって、ＯＣＴプローブ７が装着されていない際にはメス側光ロータリコネクタ２５の回転がロックされるので、オス側光ロータリコネクタ２４とメス側光ロータリコネクタ２５との安全な着脱動作を可能にする。
【００５４】
また、移動機構９の近傍には、図３に示すようにレバー３９の位置を検出するセンサ４８が設けられている。センサ４８は例えばレーザ式、渦電流式、接触式のセンサであって、図５に示すように第１のレバー４１がセンサ４８の検知部を通過することにより、レバー３９の位置を検知する。
【００５５】
これにより、オス側光ロータリコネクタ２４とメス側光ロータリコネクタ２５とが接合状態か、非接合状態かがレバー３９の位置より判定される。回転ロックピン１０が回転伝達ギア３６と勘合する位置にレバー３９が動いている場合には、オス側光ロータリコネクタ２４とメス側光ロータリコネクタ２５が接合されていないので、第２の光ファイバ３３へのレーザ光の供給が停止される。これにより、オス側光ロータリコネクタ２４とメス側光ロータリコネクタ２５との安全な着脱動作を可能にする。
【００５６】
以上説明したように、本発明に係るロータリ光コネクタ及びロータリ光コネクタの接続方法によれば、メス側光ロータリコネクタの近傍に設けられた移動機構により、オス側光ロータリコネクタの着脱動作に合わせて回転ロックピンが移動してメス側光ロータリコネクタの回転規制、規制解除、レーザ光の供給を行うことを可能にする。
【００５７】
これにより、光プローブが装着された際にはロータリ光コネクタが回転可能且つレーザ光の供給が行われ、光プローブが装着されていない際にはロータリ光コネクタの回転がロックされるとともにレーザ光の供給が停止される安全な着脱動作を可能にする。
【００５８】
なお、本実施の形態ではレバー３９は第１のレバー４１と第２のレバー４３の２つのレバーにより構成されているが、本発明はこれに限らず、図６に示すレバー３９Ａのように１本のレバーにより構成されていても好適に実施可能である。
【００５９】
レバー３９Ａは、支持ピン４９により回転可能に支持され、一端に下方を向いた傾斜面である接触部４４Ａを備え、他端に駆動部４６Ａを備えている。
【００６０】
接触部４４Ａは、オス側光ロータリコネクタ２４とメス側光ロータリコネクタ２５とが接合して、オス側光ロータリコネクタ２４に設けられた突出部が下から接触すると矢印Ｄ方向に力が加わる。これにより、レバー３９Ａが矢印θ３方向に回転して、駆動部４６Ａがスライダ４５を矢印Ｂ方向に移動させて回転ロックピン１０を回転伝達ギア３６から離れさせる。回転ロックピン１０が離れ、回転規制が解除されたメス側光ロータリコネクタ２５は回転可能となる。
【００６１】
また、本発明では、回転ロックピン１０が支持されたスライダ４５を移動させる部材はレバー３９に限らず、図７に示す移動機構５０のようにレール５１に沿って移動する移動部材５２のような形態であっても好適に実施可能である。
【００６２】
移動部材５２には、オス側光ロータリコネクタ２４が挿入される不図示の挿入口側に向いた傾斜面を持つ接触部４４Ｂが備えられ、スライダ４５を移動させる駆動部４６Ｂを備えている。
【００６３】
接触部４４Ｂは、オス側光ロータリコネクタ２４とメス側光ロータリコネクタ２５とが接合して、オス側光ロータリコネクタ２４に設けられた突出部が前方から接触すると、矢印Ｅ方向に力が加わる。これにより、移動部材５２がレール５１に沿って矢印Ｅ方向に移動して、駆動部４６Ｂがスライダ４５を矢印Ｂ方向に移動さる。スライダ４５が矢印Ｂ方向に移動することで回転ロックピン１０を回転伝達ギア３６から離れさせる。回転ロックピン１０が離れ、回転規制が解除されたメス側光ロータリコネクタ２５は回転可能となる。
【符号の説明】
【００６４】
１…画像診断装置、２…内視鏡、３…内視鏡プロセッサ、４…光源装置、５…ＯＣＴプロセッサ、６…モニタ装置、７…ＯＣＴプローブ、８…ＯＣＴ用光コネクタ、９，９Ａ，５０…移動機構、１０…回転ロックピン、１１…手元操作部、１２…挿入部、１３…鉗子挿入部、１４…先端部、１５…鉗子口、１６…プローブ挿入部、１７…操作部、１８…コネクタ、１９…ケーブル、２０…観察光学系、２１…照明光学系、２２…ＬＧコネクタ、２３…電気コネクタ、２４…オス側光ロータリコネクタ、２５…メス側光ロータリコネクタ、２６…固定用オスネジ部、２７…固定用メスネジ部、２８…内スリーブ、２９，３５…回転部、３０…第１の光ファイバ、３３…第２の光ファイバ、３４…非回転部、３６…回転伝達ギア、３７…モータギア、３８…モータ、３９，３９Ａ…レバー、４０…第１の支持ピン、４１…第１のレバー、４２…第２の支持ピン、４３…第２のレバー、４４，４４Ａ，４４Ｂ…接触部、４５…スライダ、４６，４６Ａ、４６Ｂ…駆動部、４７…スライダレール、４８、４８Ａ、４８Ｂ…センサ、４９…支持ピン、５１…レール、５２…移動部材
【図１】
0005416637.tif 000002
【図２】
0005416637.tif 000003
【図３】
0005416637.tif 000004
【図４】
0005416637.tif 000005
【図５】
0005416637.tif 000006
【図６】
0005416637.tif 000007
【図７】
0005416637.tif 000008
【図８】
0005416637.tif 000009
【図９】
0005416637.tif 000010